【手続補正書】
【提出日】令和3年1月25日(2021.1.25)
【手続補正１】
【補正対象書類名】明細書
【補正対象項目名】００１４
【補正方法】変更
【補正の内容】
【００１４】
本発明の第２の態様は、前記スリットが、前記正面の前記左右方向の中央部と前記正面の前記左右方向のいずれか一方の端部との間に配置されている、集合包装体を提供する。第２の態様では、切込部を構成するスリットが、正面の左右方向の一方の端部から正面の左右方向の中央部の間に配置され、または正面の左右方向の他方の端部から正面の左右方向の中央部との間に配置される。
【手続補正２】
【補正対象書類名】明細書
【補正対象項目名】００３８
【補正方法】変更
【補正の内容】
【００３８】
ガセット包装袋１０に収容される複数の個包装体ＰＴの個数は、特に限定されないが、例えば、本実施形態では、複数の個包装体ＰＴとして２０個のポケットティシューが収容されている。具体的には、図１に示すように、２０個のポケットティシューが１段に４個並べたものを上下方向（Ｚ方向）に５段に積み重ねた状態でガセット包装袋１０内に収容されている。なお、ガセット包装袋１０内に収容される個包装体ＰＴの配列は、この配列に限定されるものではなく、例えば、１２個のポケットティシューを１段に４つ並べたものを上下方向（Ｚ方向）に３段に積み重ねたもの、１２個のポケットティシューを１個ずつ上下方向（Ｚ方向）に１２段に積み重ねたもの等でも良い。
【手続補正３】
【補正対象書類名】明細書
【補正対象項目名】００５０
【補正方法】変更
【補正の内容】
【００５０】
切込部２０を構成するスリットＳＲは、正面１５の上下方向（Ｚ方向）の中央部１５ｃと天面１１との間に配置されている。具体的には、スリットＳＲが、ガセット部ＧＰの第１折目ＧＦ１（正面１５の上端縁１５ａ）と第２折目ＧＦ２（正面１５のＺ方向の中央部１５ｃ）との間に形成されている（図１）。第１実施形態では、図２に示すように、上下方向（Ｚ方向）における正面１５の上端縁１５ａと切込部２０（スリットＳＲ）との距離Ｄ１と、上下方向（Ｚ方向）の中央部１５ｃと切込部２０（スリットＳＲ）との距離Ｄ２とが、略同じ寸法になっている。
【手続補正４】
【補正対象書類名】明細書
【補正対象項目名】００５１
【補正方法】変更
【補正の内容】
【００５１】
そして、切込部２０は、図２に示すように、スリットＳＲの長さＬ２が、正面１５の左右方向（Ｘ方向）の幅Ｌ１よりも短くなっている。第１実施形態では、図２に示すように、スリットＳＲが、正面１５の左右方向（Ｘ方向）の中央部１５ｄと正面１５の左右方向（Ｘ方向）の他方の端部（ガセット包装袋１０の端部１０ｂ）との間に配置されている。これにより、切込部２０を構成するスリットＳＲの長さＬ２は、正面１５の左右方向（Ｘ方向）の幅Ｌ１に対して、略半分の寸法になっている。
【手続補正５】
【補正対象書類名】明細書
【補正対象項目名】００５６
【補正方法】変更
【補正の内容】
【００５６】
本実施形態では、集合包装体１００の切込部２０を構成するスリットＳＲを、正面１５の左右方向（Ｘ方向）に延びるように正面１５に形成することで、切込部２０を構成するスリットＳＲは、フィルムが破れ易い傾向があるフィルムの延伸方向に沿って配置することができる。このため、第１実施形態に係る集合包装体１００は、切込部２０の開封が容易であり、開封性に優れている。
【手続補正６】
【補正対象書類名】明細書
【補正対象項目名】００５７
【補正方法】変更
【補正の内容】
【００５７】
また、本実施形態では、図２、図３に示すように、切込部２０を構成するスリットＳＲを破ることで、集合包装体１００を開封することができる。具体的には、図２、図３に示すように、スリットＳＲを破ることで、ガセット包装袋１０の正面１５に取出口ＯＰ（以下、取出口または開封後の取出口という）が形成される。そして、図４、図５に示すように、正面１５に取出口ＯＰから個包装体ＰＴを取り出すことができる。
【手続補正７】
【補正対象書類名】明細書
【補正対象項目名】００５９
【補正方法】変更
【補正の内容】
【００５９】
また、本実施形態では、切込部２０を構成するスリットＳＲが、正面１５の上下方向（Ｚ方向）の中央部１５ｃと天面１１との間に配置されているため、開封後の取出口ＯＰは、正面１５の上下方向（Ｚ方向）の中央部１５ｃよりも上方に形成される。また、スリットＳＲの長さＬ２が正面１５の左右方向（Ｘ方向）の幅Ｌ１よりも短くなっているため、開封後の取出口ＯＰが正面１５の左右方向（Ｘ方向）の全体にわたって形成されることはない。そのため、開封後に集合包装体１００内に残った個包装体ＰＴが、取出口ＯＰから脱落し難いものとなる。また、開封後も個包装体ＰＴを収容した状態で、集合包装体１００を持ち運ぶことができる。したがって、第１実施形態に係る集合包装体１００は、開封後の保管性または持運び性に優れている。
【手続補正８】
【補正対象書類名】明細書
【補正対象項目名】００６４
【補正方法】変更
【補正の内容】
【００６４】
図６は、第２実施形態に係る集合包装体を示す図である。この第２実施形態では、スリットＳＲが、天面１１寄りに配置されている。具体的には、図６に示すように、上下方向（Ｚ方向）における正面１５の上端縁１５ａと切込部２０（スリットＳＲ）との距離Ｄ１が、上下方向（Ｚ方向）の中央部１５ｃと切込部２０（スリットＳＲ）との距離Ｄ２よりも短くなっている。
【手続補正９】
【補正対象書類名】明細書
【補正対象項目名】００６６
【補正方法】変更
【補正の内容】
【００６６】
図７は、第３実施形態に係る集合包装体を示す。この第３実施形態では、スリットＳＲが、正面１５の上下方向（Ｚ方向）の中央部１５ｃ寄りに配置されている。具体的には、図７に示すように、上下方向（Ｚ方向）における正面１５の上端縁１５ａと切込部２０（スリットＳＲ）との距離Ｄ１が、上下方向（Ｚ方向）の中央部１５ｃと切込部２０（スリットＳＲ）との距離Ｄ２よりも長くなっている。
【手続補正１０】
【補正対象書類名】明細書
【補正対象項目名】００７９
【補正方法】変更
【補正の内容】
【００７９】
ガセット形成工程（ステップＳＴ１４）では、筒状フィルムＴＦをガセット状に折り込んでガセット状のシート（ガセットシート）ＧＳを形成する。具体的には、ガセット形成部１４０で、スリットＳＲが形成された筒状フィルムＴＦが、筒状フィルムＴＦの幅方向の両端縁から折り板１４１を通してガセット状に折り込まれて、ガセットシートＧＳが形成される。形成されたガセットシートＧＳには、幅方向の両端部に一対の第１折目ＧＦ１が形成され、内側に一対の第２折目ＧＦ２が形成される（図９参照）。
【手続補正１１】
【補正対象書類名】明細書
【補正対象項目名】００８２
【補正方法】変更
【補正の内容】
【００８２】
本実施形態に係るガセット包装袋の製造方法では、スリット形成工程（ＳＴ１２）をガセット形成工程（ＳＴ１４）の前に行われる。これにより、スリットＳＲは、原反フィルムＲＦにおいて破れ易い傾向があるフィルムの延伸方向に沿って形成することができる。また、原反フィルムＲＦが筒状になった筒状フィルムＴＦ（ガセット包装袋１０の半製品）の状態で、スリットＳＲが、第１折目ＧＦ１と第２折目ＧＦ２の間に形成される（図９、図１０参照）。
【手続補正１２】
【補正対象書類名】明細書
【補正対象項目名】００８５
【補正方法】変更
【補正の内容】
【００８５】
なお、本実施形態に係るガセット包装袋の製造方法では、スリット形成工程（ＳＴ１２）が筒状フィルム形成工程（ステップＳＴ１３）の前に行われているが、工程の順番は限定されない。本実施形態に係るガセット包装袋の製造方法は、スリット形成工程（ＳＴ１２）をガセット形成工程（ＳＴ１４）の前に行う限り、例えば、スリット形成工程（ＳＴ１２）を筒状フィルム形成工程（ステップＳＴ１３）の後に行ってもよい。
【手続補正１３】
【補正対象書類名】明細書
【補正対象項目名】００８６
【補正方法】変更
【補正の内容】
【００８６】
なお、スリット形成工程（ＳＴ１２）を筒状フィルム形成工程（ステップＳＴ１３）の後に行う場合、筒状フィルムＴＦの状態でスリットＳＲが形成される。具体的には、図１０に示す半製品の状態で、スリットＳＲが、筒状フィルムＴＦが第２折目ＧＦ２で折り返された上方のフィルム部分と下方のフィルム部分の２カ所に形成されることになる。なお、第２折目ＧＦ２は、図１０に示すガセット包装袋１０の半製品の外形線となるが、図１０では理解を容易にするため、第２折目ＧＦ２を一点鎖線で示している。
【手続補正１４】
【補正対象書類名】明細書
【補正対象項目名】００８７
【補正方法】変更
【補正の内容】
【００８７】
この場合は、第１折目ＧＦ１と第２折目ＧＦ２の間に配置されるスリットＳＲを、第２折目ＧＦ２寄りに形成するのが好ましい。これにより、第２折目ＧＦ２が展開されたガセット包装袋１０のガセット部ＧＰには、互いに近接して平行に延びる２本のスリットＳＲを形成することができるため、１本のスリットＳＲを配置したのと略同じ形態にすることができる。
【手続補正１５】
【補正対象書類名】明細書
【補正対象項目名】００８９
【補正方法】変更
【補正の内容】
【００８９】
［集合包装体（試験体）］
試験体として、複数の個包装体ＰＴが上下方向（Ｚ方向）に重ねられてガセット包装袋１０に収容された集合包装体１００を用意した。個包装体ＰＴは、ポケットティシュー（大王製紙株式会社製、「エリエールティシュー」、縦約１９０ｍｍ、横約２１０ｍｍ、枚数２０枚（１０組））を用いた。このティシューペーパー２０個を、１段に４個並べ、上下方向（Ｚ方向）に５段に積み重ねてガセット包装袋１０内に収容した。また、ガセット包装袋１０は、ポリプロピレン製の樹脂フィルム（厚み：約３０μｍ）で形成された筒状フィルムＴＦの一部をガセット状に折り込まれたガセット部ＧＰと、筒状フィルムＴＦの端部１０ａをヒートシールＨＳで封止したシール部ＳＰとを備えるガセット包装袋１０を用いた。また、ガセット包装袋１０は、正面１５がガセット部ＧＰを構成し、一対の側面１３、１４がシール部ＳＰを構成し、正面１５に左右方向（Ｘ方向）に延びる切込部２０（スリットＳＲ）を形成した。
【手続補正１６】
【補正対象書類名】明細書
【補正対象項目名】００９０
【補正方法】変更
【補正の内容】
【００９０】
［破断性］
集合包装体１００について、破断性を確認した。破断性の試験は、次のように測定した引張強度（ｋｇｆ）から評価した。まず、引張試験機（ＩＭＡＤＡ社製、ＭＸ−５００Ｎ）にプッシュプルゲージ（ＩＭＡＤＡ社製、ＤＳＰ−２０）を取り付けた。プッシュプルゲージおよびチャック取付板にクリップ（ＩＭＡＤＡ社製、フィルムチャック（ＦＣ２１））を取り付けた。プッシュプルゲージとチャック取付板に取り付けたクリップ間の幅を約１２５ｍｍに固定した。試験片には１枚のガセット包装袋１０を用い、ガセット包装袋１０のガセット部ＧＰが折りたたまれた状態で、クリップ間にスリットＳＲ（ミシン目）が配置されるように試験片（ガセット包装袋１０）の上下にクリップを取り付けた。そして、１００ｍｍ／ｍｉｎの速度でフィルムの延伸方向と交差する方向にミシン目が破断するまでクリップを引いて、引張強度（ピーク）を測定した。引張強度の測定は３回行い、その平均値（ｋｇｆ）を引張強度として算出した。なお、ミシン目の破断に引張強度が５ｋｇｆを超える場合は「＞５．００」で示した。
【手続補正１７】
【補正対象書類名】明細書
【補正対象項目名】００９１
【補正方法】変更
【補正の内容】
【００９１】
［開封性］
集合包装体１００について、開封性を確認した。開封性の試験は、破断性の試験と同様の測定機器（引張試験機）を用いて行った。プッシュプルゲージとチャック取付板に取り付けたクリップ間の幅を３０ｍｍとし、ガセット包装袋１０（フィルム）のサイズは５０×３０ｍｍとした。クリップ間の中心にスリットＳＲ（ミシン目）が配置されるように試験片（ガセット包装袋１０）の上下にクリップを取り付けた。なお、フィルムを引っ張る方向を５０ｍｍとし、幅を３０ｍｍとした。なお、比較例４は、ミシン目の入ったフィルム２枚を同時に開ける必要があるため、２枚で測定し、それ以外の実施例および比較例は１枚で実施した。
【手続補正１８】
【補正対象書類名】明細書
【補正対象項目名】００９２
【補正方法】変更
【補正の内容】
【００９２】
［取出し性］
集合包装体１００について、取出し性を確認した。取出し性の試験では、まず集合包装体１００の開封後の取出口ＯＰに最も近い位置に重なる１個の個包装体（ポケットティシュー）ＰＴの長手方向（Ｘ方向）に延びる一辺の中央部を、取出口ＯＰの外側からダブルクリップ（ＰＬＵＳ株式会社製、ＣＰ１０２）で挟んだ。プッシュプルゲージ（ＩＭＡＤＡ社製、ＤＳＰ−２０）に取付けたフックを、ポケットティシューＰＴを挟んだダブルクリップの上側のつまみに掛けて、略水平方向に引っ張ってポケットティシューＰＴを集合包装体１００から取り出したときの最大荷重（ｋｇｆ）を測定した。なお、測定に用いたポケットティシューＰＴは、実施例では中間に重なるものを選択し、比較例では最上段または最側端に位置するものを選択した。取出し性の測定は３回行い、その平均値（ｋｇｆ）を取出し性の最大荷重として算出した。
【手続補正１９】
【補正対象書類名】明細書
【補正対象項目名】００９５
【補正方法】変更
【補正の内容】
【００９５】
［実施例１］
図１、図２に示す第１実施形態の集合包装体１００を用意した。この集合包装体１００では、切込部２０（スリットＳＲ）を、ガセット部ＧＰを構成する正面１５の上下方向（Ｚ方向）の中央部１５ｃと天面１１との間に配置し、スリットＳＲの長さＬ２を、正面１５の左右方向（Ｘ方向）の幅Ｌ１よりも短くした。また、スリットＳＲを、正面１５の左右方向（Ｘ方向）の他方の端部（ガセット包装袋１０の端部１０ｂ）と正面１５の左右方向（Ｘ方向）の中央部１５ｄとの間に配置した。また、スリットＳＲは、上下方向（Ｚ方向）における正面１５の上端縁１５ａと切込部２０（スリットＳＲ）との距離Ｄ１と、上下方向（Ｚ方向）の中央部１５ｃと切込部２０（スリットＳＲ）との距離Ｄ２とが、略同じ寸法になるように配置した。また、ガセット包装袋１０の上下方向（Ｚ方向）の高さ（フィルム嵩）を５０ｍｍとした。このように作製した集合包装体１００について上記の各試験を行い、評価した。結果を表１に示す。
【手続補正２０】
【補正対象書類名】明細書
【補正対象項目名】００９６
【補正方法】変更
【補正の内容】
【００９６】
［実施例２］
図６に示す第２実施形態の集合包装体１００を用意した。この集合包装体１００では、スリットＳＲを、天面１１寄りに配置した（上下方向（Ｚ方向）における正面１５の上端縁１５ａと切込部２０（スリットＳＲ）との距離Ｄ１を、上下方向（Ｚ方向）の中央部１５ｃと切込部２０（スリットＳＲ）との距離Ｄ２よりも短くした）以外は、実施例１と同様に作製し、評価した。結果を表１に示す。
【手続補正２１】
【補正対象書類名】明細書
【補正対象項目名】００９７
【補正方法】変更
【補正の内容】
【００９７】
［実施例３］
図７に示す第３実施形態の集合包装体１００を用意した。この集合包装体１００では、スリットＳＲを、正面１５の上下方向（Ｚ方向）の中央部１５ｃ寄りに配置した（上下方向（Ｚ方向）における正面１５の上端縁１５ａと切込部２０（スリットＳＲ）との距離Ｄ１を、上下方向（Ｚ方向）の中央部１５ｃと切込部２０（スリットＳＲ）との距離Ｄ２よりも長くした）以外は、実施例１と同様に作製し、評価した。結果を表１に示す。
【手続補正２２】
【補正対象書類名】明細書
【補正対象項目名】００９８
【補正方法】変更
【補正の内容】
【００９８】
［比較例１］
図１１に示すように、ガセット包装袋１０の天面１１に、天面１１の左右方向（Ｘ方向）の中央部１１ａと左右方向（Ｘ方向）の端部（ガセット包装袋１０の端部１０ｂ）との間に天面１１の左右方向（Ｘ方向）に延びる切込部３０（スリットＳＲ）を設けた以外は、実施例１と同様に、集合包装体１００を作製し、評価した。結果を表１に示す。
【手続補正２３】
【補正対象書類名】明細書
【補正対象項目名】００９９
【補正方法】変更
【補正の内容】
【００９９】
［比較例２］
図１２に示すように、ガセット包装袋１０の天面１１に、天面１１の左右方向（Ｘ方向）の一端（ガセット包装袋１０の端部１０ａ）と左右方向（Ｘ方向）の他端（ガセット包装袋１０の端部１０ｂ）の間の左右方向（Ｘ方向）に延び、かつ側面１４の上下方向（Ｚ方向）に延びる切込部４０（スリットＳＲ）を設けた以外は、実施例１と同様に、集合包装体１００を作製し、評価した。結果を表１に示す。
【手続補正２４】
【補正対象書類名】明細書
【補正対象項目名】０１００
【補正方法】変更
【補正の内容】
【０１００】
［比較例３］
図１３に示すように、ガセット包装袋１０の天面１１の左右方向（Ｘ方向）の他端（ガセット包装袋１０の端部１０ｂ）側に、天面１１の前後方向に（Ｙ方向）延びる切込部５０（スリットＳＲ）を設けた以外は、実施例１と同様に、集合包装体１００を作製し、評価した。結果を表１に示す。
【手続補正２５】
【補正対象書類名】明細書
【補正対象項目名】０１０１
【補正方法】変更
【補正の内容】
【０１０１】
［比較例４］
図１４に示すように、ガセット部を構成しない正面１５の天面１１側に、正面１５の左右方向（Ｘ方向）に延びる切込部６０（スリットＳＲ）を設け、ガセット包装袋１０の上下方向（Ｚ方向）の高さ（フィルム嵩）を７５ｍｍとした以外は、実施例１と同様に、集合包装体１００を作製し、評価した。結果を表１に示す。
【手続補正２６】
【補正対象書類名】明細書
【補正対象項目名】０１０３
【補正方法】変更
【補正の内容】
【０１０３】
表１より、ガセット部ＧＰを構成する正面１５の上下方向（Ｚ方向）の中央部１５ｃと天面１１との間にスリットＳＲを配置し、スリットＳＲの長さＬ２を、正面１５の左右方向（Ｘ方向）の幅Ｌ１よりも短くした集合包装体１００は、いずれも、破断性は５．００ｋｇｆを超え、開封性は０．５ｋｇｆ未満であり、取出し性は０．３５ｋｇｆ未満であり、持運び性は〇（良好）であった（実施例１〜３）。
【手続補正２７】
【補正対象書類名】明細書
【補正対象項目名】０１０４
【補正方法】変更
【補正の内容】
【０１０４】
これに対して、ガセット部ＧＰを構成する正面１５の上下方向（Ｚ方向）の中央部１５ｃと天面１１との間にスリットＳＲが配置されていない集合包装体１００は、いずれかが、破断性は５．００ｋｇｆ以下であり、開封性は０．５ｋｇｆ以上であり、取出し性は０．３５ｋｇｆ以上であり、持運び性は×（不良）であった（比較例１〜４）。
【手続補正２８】
【補正対象書類名】図面
【補正対象項目名】図１
【補正方法】変更
【補正の内容】
【図１】
2019177946.tif 000001
【手続補正２９】
【補正対象書類名】図面
【補正対象項目名】図２
【補正方法】変更
【補正の内容】
【図２】
2019177946.tif 000002
【手続補正３０】
【補正対象書類名】図面
【補正対象項目名】図３
【補正方法】変更
【補正の内容】
【図３】
2019177946.tif 000003
【手続補正３１】
【補正対象書類名】図面
【補正対象項目名】図４
【補正方法】変更
【補正の内容】
【図４】
2019177946.tif 000004
【手続補正３２】
【補正対象書類名】図面
【補正対象項目名】図５
【補正方法】変更
【補正の内容】
【図５】
2019177946.tif 000005
【手続補正３３】
【補正対象書類名】図面
【補正対象項目名】図６
【補正方法】変更
【補正の内容】
【図６】
2019177946.tif 000006
【手続補正３４】
【補正対象書類名】図面
【補正対象項目名】図７
【補正方法】変更
【補正の内容】
【図７】
2019177946.tif 000007
【手続補正３５】
【補正対象書類名】図面
【補正対象項目名】図９
【補正方法】変更
【補正の内容】
【図９】
2019177946.tif 000008
【手続補正３６】
【補正対象書類名】図面
【補正対象項目名】図１１
【補正方法】変更
【補正の内容】
【図１１】
2019177946.tif 000009
【手続補正３７】
【補正対象書類名】図面
【補正対象項目名】図１２
【補正方法】変更
【補正の内容】
【図１２】
2019177946.tif 000010
【手続補正３８】
【補正対象書類名】図面
【補正対象項目名】図１３
【補正方法】変更
【補正の内容】
【図１３】
2019177946.tif 000011
【手続補正３９】
【補正対象書類名】図面
【補正対象項目名】図１４
【補正方法】変更
【補正の内容】
【図１４】
2019177946.tif 000012